(57)【要約】【課題】吸着能力を向上させることのできる吸着器を提供する。【解決手段】吸着器５０は、被吸着媒体を内部に収容する密閉容器５３と、密閉容器５３の内部に配置され、被吸着媒体を吸着する吸着剤５４が設けられるとともに、第１熱媒体との熱交換により吸着剤５４から被吸着媒体を脱離させる吸着コア部５１と、密閉容器５３の内部に配置され、第２熱媒体との熱交換により、吸着剤５４から脱離した被吸着媒体を凝縮又は蒸発させる蒸発／凝縮コア部５２と、を備える。密閉容器５３において、吸着コア部５１を流れる第１熱媒体と、蒸発／凝縮コア部５２を流れる第２熱媒体とが対向するように流れている。【選択図】図３
2018080851.tif 000002
【特許請求の範囲】
【請求項１】
被吸着媒体を内部に収容する密閉容器（５３，６３）と、
前記密閉容器の内部に配置され、被吸着媒体を吸着する吸着剤（５４，６４）が設けられるとともに、第１熱媒体との熱交換により前記吸着剤から前記被吸着媒体を脱離させる吸着コア部（５１，６１）と、
前記密閉容器の内部に配置され、第２熱媒体との熱交換により、前記吸着剤から脱離した前記被吸着媒体を凝縮又は蒸発させる蒸発／凝縮コア部（５２，６２）と、を備え、
前記密閉容器において、前記吸着コア部を流れる第１熱媒体と、前記蒸発／凝縮コア部を流れる前記第２熱媒体とが対向するように流れている
吸着器。
【請求項２】
前記吸着コア部における前記第１熱媒体の流れ方向の下流側の部分、及び前記蒸発／凝縮コア部における前記第２熱媒体の流れ方向の上流側の部分を含む前記密閉容器の内部領域を第１内部領域とし、
前記吸着コア部における前記第１熱媒体の流れ方向の上流側の部分、及び前記蒸発／凝縮コア部における前記第２熱媒体の流れ方向の下流側の部分を含む前記密閉容器の内部領域を第２内部領域とするとき、
前記密閉容器の内部を前記第１内部領域と前記第２内部領域とに仕切る仕切板を更に備える
請求項１に記載の吸着器。
【請求項３】
前記仕切板には、前記第１内部領域と前記第２内部領域とを連通させるスリット（５６０）が形成されている
請求項２に記載の吸着器。
【請求項４】
前記仕切板は、断熱材料により構成されている
請求項２又は３に記載の吸着器。
【請求項５】
前記吸着コア部は、
前記吸着剤が外面に設けられ、前記吸着剤に吸着された前記被吸着媒体と前記第１熱媒体との間で熱交換を行う複数の管状部材（５１３ａ，５１３ｂ，６１３ａ，６１３ｂ）と、
複数の前記管状部材に前記第１熱媒体を分配する、又は複数の前記管状部材を流れる前記第１熱媒体を集めるタンク部（５１０〜５１２，６１０〜６１２）と、を有し、
前記管状部材は、前記タンク部に対して直交している
請求項１〜４のいずれか一項に記載の吸着器。
【請求項６】
前記蒸発／凝縮コア部は、
前記被吸着媒体と前記第２熱媒体との間で熱交換を行う複数の管状部材（５２３ａ，５２３ｂ，６２３ａ，６２３ｂ）と、
複数の前記管状部材に前記第２熱媒体を分配する、又は複数の前記管状部材を流れる前記第２熱媒体を集めるタンク部（５２０〜５２２，６２０〜６２２）と、を有し、
前記管状部材は、前記タンク部に対して直交している
請求項１〜４のいずれか一項に記載の吸着器。
【請求項７】
前記吸着コア部及び前記蒸発／凝縮コア部は、ドロンカップ型の熱交換部からなる
請求項１〜６のいずれか一項に記載の吸着器。
【発明の詳細な説明】
【技術分野】
【０００１】
本開示は、吸着剤が被吸着媒体を吸着する作用を利用して冷媒を蒸発させ、その蒸発潜熱により冷凍能力を発揮する吸着器に関する。
【背景技術】
【０００２】
従来、この種の吸着器としては、特許文献１に記載の吸着器がある。特許文献１に記載の吸着器は、冷媒を吸着する吸着剤が内部に収容される密閉容器を備えている。密閉容器は、冷媒を収容する凝縮・蒸発面層と、吸着剤を収容する吸着・脱離面層とを区画している。凝縮・蒸発面層及び吸着・脱離面層は連通部を介して連通されている。凝縮・蒸発面層と吸着・脱離面層との外部上下には、それぞれの熱交換媒体が流通する第１循環水路及び第２循環水路がそれぞれ配置されている。
【０００３】
特許文献１に記載の吸着器では、吸着工程時に、第２循環水路を流れる熱交換媒体と凝縮・蒸発面層内の液相冷媒との熱交換により、凝縮・蒸発面層内の液相冷媒が蒸発する。この液相冷媒の蒸発時の蒸発潜熱により、第２循環水路を流れる熱交換媒体が冷却される。また、この際、吸着・脱離面層では、蒸発した気相冷媒を吸着剤が吸着することにより、蒸発を促進させる。このとき、吸着剤は気相冷媒を吸着する際に熱を発生するため、吸着剤の温度が上昇する。吸着剤の温度が上昇すると、吸着剤の吸着能力が低下する。これを抑制するために、第１循環水路を流れる熱交換媒体と吸着剤との間で熱交換を行うことにより、吸着剤の温度上昇が抑制されている。
【先行技術文献】
【特許文献】
【０００４】
【特許文献１】特開２００７−２１８５０４号公報
【発明の概要】
【発明が解決しようとする課題】
【０００５】
ところで、特許文献１に記載の吸着器では、吸着工程時に、第１循環水路を流れる熱交換媒体の温度は第１循環水路の下流側に向かうほど上昇する。したがって、第１循環水路の下流側に向かうほど、吸着・脱離面層内の吸着剤の吸着能力は低下する。一方、第２循環水路を流れる熱交換媒体の温度は、第２循環水路の下流側に向かうほど低下する。したがって、第２循環水路の下流側に向かうほど、凝縮・蒸発面層内の液相冷媒が蒸発し難くなる。
【０００６】
このように、特許文献１に記載の吸着器では、吸着・脱離面層及び凝縮・蒸発面層において、第１循環水路及び第２循環水路のそれぞれの下流側で吸着能力が低下する傾向がある。これが、吸着器の冷凍能力を低下させる要因となっている。
本開示は、こうした実情に鑑みてなされたものであり、その目的は、吸着能力を向上させることのできる吸着器を提供することにある。
【課題を解決するための手段】
【０００７】
上記課題を解決する吸着器（５０，６０）は、被吸着媒体を内部に収容する密閉容器（５３，６３）と、密閉容器の内部に配置され、被吸着媒体を吸着する吸着剤（５４，６４）が設けられるとともに、第１熱媒体との熱交換により吸着剤から被吸着媒体を脱離させる吸着コア部（５１，６１）と、密閉容器の内部に配置され、第２熱媒体との熱交換により、吸着剤から脱離した被吸着媒体を凝縮又は蒸発させる蒸発／凝縮コア部（５２，６２）と、を備える。密閉容器において、吸着コア部を流れる第１熱媒体と、蒸発／凝縮コア部を流れる第２熱媒体とが対向するように流れている。
【０００８】
この構成によれば、蒸発／凝縮コア部において蒸発し難い下流側の部分と、吸着コア部において吸着し易い上流側の部分とを対向させることができる。また、蒸発／凝縮コア部において蒸発し易い上流側の部分と、吸着コア部において吸着し難い下流側の部分とを対向させることができる。これにより、吸着器における被吸着媒体の吸着及び蒸発のバランスを取ることができるため、被吸着媒体の吸着性を向上させることができる。
【０００９】
なお、上記手段、及び特許請求の範囲に記載の括弧内の符号は、後述する実施形態に記載の具体的手段との対応関係を示す一例である。
【発明の効果】
【００１０】
本開示によれば、吸着能力を向上させることのできる吸着器を提供できる。
【図面の簡単な説明】
【００１１】
【図１】図１は、実施形態の吸着器を用いた冷凍機の概略構成を示すブロック図である。
【図２】図２は、実施形態の冷凍機の動作例を示すブロック図である。
【図３】図３は、実施形態の第１吸着器の構成を模式的に示す図である。
【図４】図４は、他の実施形態の第１吸着器の仕切板の正面構造を示す正面図である。
【図５】図５は、他の実施形態の第１吸着器の構成を模式的に示す図である。
【図６】図６は、他の実施形態の第１吸着器の構成を模式的に示す図である。
【図７】図７は、他の実施形態の冷凍機の概略構成を示すブロック図である。
【図８】図８は、他の実施形態の第１吸着器の断面構造の一部を示す断面図である。
【発明を実施するための形態】
【００１２】
以下、吸着器の一実施形態について図面を参照しながら説明する。説明の理解を容易にするため、各図面において同一の構成要素に対しては可能な限り同一の符号を付して、重複する説明は省略する。はじめに、本実施形態の吸着器を用いた吸着式冷凍機の概要について説明する。
【００１３】
図１に示されるように、本実施形態の冷凍機１０は、熱源２０と、冷熱発生器３０と、放熱器４０と、第１吸着器５０と、第２吸着器６０と、四方弁７１〜７４とを備えている。冷凍機１０は、四方弁７１〜７４の接続状態を図１に示される状態と図２に示される状態とに所定の周期で切り替えることにより、冷熱発生器３０から冷熱を発生させる。なお、図１及び図２では、四方弁７１〜７４において接続状態の流路が実線で示され、非接続状態の流路が破線で示されている。
【００１４】
熱源２０は、例えば車両のエンジンである。熱源２０は、四方弁７１及び四方弁７２を介して第１吸着器５０及び第２吸着器６０に接続されている。具体的には、熱源２０は、四方弁７１及び四方弁７２が図１に示される接続状態であるとき、第１吸着器５０に接続される。すなわち、熱源２０と第１吸着器５０との間を第１熱媒体が循環することにより、熱源２０の熱が第１吸着器５０に伝達される。また、熱源２０は、四方弁７１及び四方弁７２が図２に示される接続状態であるとき、第２吸着器６０に接続される。すなわち、熱源２０と第１吸着器５０との間を第１熱媒体が循環することにより、熱源２０の熱が第２吸着器６０に伝達される。
【００１５】
冷熱発生器３０は、例えば車両用空調装置の蒸発器である。冷熱発生器３０は、四方弁７３及び四方弁７４を介して第１吸着器５０及び第２吸着器６０に接続されている。具体的には、冷熱発生器３０は、四方弁７１及び四方弁７２が図１に示される接続状態であるとき、第２吸着器６０に接続される。すなわち、冷熱発生器３０と第２吸着器６０との間を第２熱媒体が循環することにより、第２吸着器６０から冷熱発生器３０に冷熱が伝達される。また、冷熱発生器３０は、四方弁７１及び四方弁７２が図２に示される接続状態であるとき、第１吸着器５０に接続される。すなわち、冷熱発生器３０と第１吸着器５０との間を第２熱媒体が循環することにより、第１吸着器５０から冷熱発生器３０に冷熱が伝達される。
【００１６】
放熱器４０は、第１吸着器５０を循環する第１熱媒体及び第２吸着器６０を循環する第２熱媒体と空気との間で熱交換を行うことにより、第１熱媒体及び第２熱媒体の熱を放散する。放熱器４０は、第１放熱部４１と、第２放熱部４２とを有している。
第１放熱部４１は、四方弁７１及び四方弁７２が図１に示される接続状態であるとき、第２吸着器６０に接続される。すなわち、第１放熱部４１と第２吸着器６０との間を第１熱媒体が循環することにより、第１放熱部４１は、第１熱媒体により第２吸着器６０から伝達される熱を放散する。また、第１放熱部４１は、四方弁７１及び四方弁７２が図２に示される接続状態であるとき、第１吸着器５０に接続される。すなわち、第１放熱部４１と第１吸着器５０との間を第１熱媒体が循環することにより、第１放熱部４１は、第１熱媒体により第２吸着器６０から伝達される熱を放散する。
【００１７】
第２放熱部４２は、四方弁７１及び四方弁７２が図１に示される接続状態であるとき、第１吸着器５０に接続される。すなわち、第２放熱部４２と第１吸着器５０との間を第２熱媒体が循環することにより、第２放熱部４２は、第２熱媒体により第１吸着器５０から伝達される熱を放散する。また、第２放熱部４２は、四方弁７１及び四方弁７２が図２に示される接続状態であるとき、第２吸着器６０に接続される。すなわち、第２放熱部４２と第２吸着器６０との間を第２熱媒体が循環することにより、第２放熱部４２は、第２熱媒体により第２吸着器６０から伝達される熱を放散する。
【００１８】
図３に示されるように、第１吸着器５０は、吸着コア部５１と、蒸発／凝縮コア部５２と、密閉容器５３と、吸着剤５４と、担持部材５５と、仕切板５６とを有している。
密閉容器５３の内部は真空状態となっている。密閉容器５３の内部には、吸着剤５４により吸着可能な被吸着媒体と、吸着コア部５１と、蒸発／凝縮コア部５２とが収容されている。被吸着媒体としては、例えば水を用いることができる。吸着コア部５１及び蒸発／凝縮コア部５２は、密閉容器５３の内部において上下方向に対向して配置されている。
【００１９】
仕切板５６は、密閉容器５３の内部において上下方向に平行に配置されており、密閉容器５３の内部空間を左右方向に区画している。以下では、便宜上、密閉容器５３の内部空間において仕切板５６により区画されている内部領域のうち、仕切板５６よりも密閉容器５３の右側壁５３１側の領域を第１内部領域Ａ１１と称し、仕切板５６よりも密閉容器５３の左側壁５３２側の領域を第２内部領域Ａ１２と称する。仕切板５６は、第１内部領域Ａ１１と第２内部領域Ａ１２との間の熱の伝達を抑制することの可能な断熱材により形成されている。
【００２０】
吸着コア部５１は、密閉容器５３の内部における上下方向の略中央部から上壁部５３０までの領域に配置されている。吸着コア部５１は、タンク部５１０〜５１２と、管状部材５１３ａ，５１３ｂとを有している。
管状部材５１３ａ，５１３ｂは、上下方向に延びる中空状の部材からなる。管状部材５１３ａ，５１３ｂの内部空間は、第１熱媒体が流れる流路となっている。管状部材５１３ａは、第１内部領域Ａ１１において左右方向に複数並べて配置されている。管状部材５１３ｂは、第２内部領域Ａ１２において左右方向に複数並べて配置されている。管状部材５１３ａ，５１３ｂは、タンク部５１０〜５１２に対して直交している。
【００２１】
タンク部５１０〜５１２は、内部に第１熱媒体が流れる筒状の部材からなる。タンク部５１０は、密閉容器５３の右側壁５３１の上端近傍から密閉容器５３の第１内部領域Ａ１１に挿入されるとともに、仕切板５６の近傍まで密閉容器５３の上壁部５３０に沿って延びるように配置されている。タンク部５１０には、管状部材５１３ａの上端部が接続されている。図１及び図２に示されるように、タンク部５１０は、四方弁７１に接続されている。
【００２２】
図３に示されるように、タンク部５１１は、密閉容器５３の左側壁５３２の上端近傍から第２内部領域Ａ１２に挿入されるとともに、仕切板５６の近傍まで密閉容器５３の上壁部５３０に沿って延びるように配置されている。タンク部５１１には、管状部材５１３ｂの上端部が接続されている。図１及び図２に示されるように、タンク部５１１は、四方弁７２に接続されている。
【００２３】
図３に示されるように、タンク部５１２は、密閉容器５３の上下方向の中央部付近において第１内部領域Ａ１１から第２内部領域Ａ１２に延びるように配置されている。タンク部５１２には、管状部材５１３ａ，５１３ｂのそれぞれの下端部が接続されている。なお、タンク部５１２における第１内部領域Ａ１１に配置されている部分の内部流路、及び第２内部領域Ａ１２に配置されている部分の内部流路は、仕切板５６により仕切られることなく連通されている。
【００２４】
吸着コア部５１では、第１熱媒体がタンク部５１０から流入した場合、この第１熱媒体は複数の管状部材５１３ａに分配される。第１熱媒体は管状部材５１３ａを下方に向かって流れてタンク部５１２において集められた後、管状部材５１３ｂに分配される。第１熱媒体は複数の管状部材５１３ｂを上方に向かって流れてタンク部５１１において集められた後、排出される。なお、吸着コア部５１では、第１熱媒体がタンク部５１１から流入した場合、この第１熱媒体は、管状部材５１３ｂ、タンク部５１２、複数の管状部材５１３ａ、タンク部５１０の順で流れる。
【００２５】
蒸発／凝縮コア部５２は、密閉容器５３の内部における上下方向の略中央部から底壁部５３３までの領域に配置されている。蒸発／凝縮コア部５２は、タンク部５２０〜５２２と、管状部材５２３ａ，５２３ｂとを有している。
管状部材５２３ａ，５２３ｂは、上下方向に延びる中空状の部材からなる。管状部材５２３ａ，５２３ｂの内部空間は、第２熱媒体が流れる流路となっている。管状部材５２３ａは、第１内部領域Ａ１１において左右方向に複数並べて配置されている。管状部材５２３ｂは、第２内部領域Ａ１２において左右方向に複数並べて配置されている。管状部材５２３ａ，５２３ｂは、タンク部５２０〜５２２に対して直交している。
【００２６】
タンク部５２０〜５２２は、内部に第２熱媒体が流れる筒状の部材からなる。タンク部５２０は、密閉容器５３の右側壁５３１の下端近傍から密閉容器５３の第１内部領域Ａ１１に挿入されるとともに、仕切板５６の近傍まで密閉容器５３の底壁部５３３に沿って延びるように配置されている。タンク部５２０には、管状部材５２３ａの下端部が接続されている。図１及び図２に示されるように、タンク部５２０は、四方弁７４に接続されている。
【００２７】
図３に示されるように、タンク部５２１は、密閉容器５３の左側壁５３２の下端近傍から密閉容器５３の第２内部領域Ａ１２に挿入されるとともに、密閉容器５３の左右方向の中央部まで密閉容器５３の底壁部５３３に沿って延びるように配置されている。タンク部５２１には、管状部材５２３ｂの下端部が接続されている。図１及び図２に示されるように、タンク部５２１は、四方弁７３に接続されている。
【００２８】
図３に示されるように、タンク部５２２は、密閉容器５３の上下方向の中央部付近において第１内部領域Ａ１１から第２内部領域Ａ１２に延びるように配置されている。タンク部５２２には、管状部材５２３ａ，５２３ｂのそれぞれの上端部が接続されている。なお、タンク部５２２における第１内部領域Ａ１１に配置されている内部流路、及び第２内部領域Ａ１２に配置されている部分の内部流路は、仕切板５６により仕切られることなく連通されている。
【００２９】
蒸発／凝縮コア部５２では、第２熱媒体がタンク部５２０から流入した場合、この第２熱媒体は複数の管状部材５２３ａに分配される。第２熱媒体は管状部材５２３ａを上方に向かって流れてタンク部５２２において集められた後、複数の管状部材５２３ｂに分配される。第２熱媒体は管状部材５２３ｂを下方に向かって流れてタンク部５２１において集められた後、排出される。なお、蒸発／凝縮コア部５２では、第２熱媒体がタンク部５２１から流入した場合、この第２熱媒体は、複数の管状部材５２３ｂ、タンク部５２２、複数の管状部材５２３ａ、タンク部５２０の順で流れる。
【００３０】
図３に示されるように、吸着剤５４は、吸着コア部５１の管状部材５１３ａ，５１３ｂの外面に貼付されている。吸着剤５４は、被吸着媒体である水が水蒸気となった際にこれを吸着することの可能な材料、例えばゼオライトからなる。吸着剤５４は、基本的には、その温度が低い程被吸着媒体を吸着し易い性質を有している。
【００３１】
担持部材５５は、蒸発／凝縮コア部５２の管状部材５２３ａ，５２３ｂの外面に貼付されている。担持部材５５は、被吸着媒体である水を担持することの可能な部材、例えば多孔質部材からなる。
図１及び図２に示されるように、第２吸着器６０は、第１吸着器５０をと一の構造を有している。すなわち、第２吸着器６０は、吸着コア部６１と、蒸発／凝縮コア部６２と、密閉容器６３と、吸着剤６４と、担持部材６５と、仕切板６６とを有している。吸着コア部６１は、タンク部６１０〜６１２と、管状部材６１３ａ，６１３ｂとを有している。蒸発／凝縮コア部６２は、タンク部６２０〜６２２と、管状部材６２３ａ，６２３ｂとを有している。
【００３２】
なお、第２吸着器６０のタンク部６１０，６１１，６２０，６２１と四方弁７１〜７４との接続態様は、第１吸着器５０のタンク部５１０，５１１，５２０，５２１と四方弁７１〜７４との接続態様と異なる。具体的には、吸着コア部６１のタンク部６１０は、四方弁７２に接続されている。また、吸着コア部６１のタンク部６１１は、四方弁７１に接続されている。さらに、蒸発／凝縮コア部６２のタンク部６２０は、四方弁７３に接続されている。また、蒸発／凝縮コア部６２のタンク部６２１は、四方弁７４に接続されている。
【００３３】
次に、本実施形態の冷凍機１０の動作例について説明する。
四方弁７１〜７４が図１に示される接続状態であるとき、第１吸着器５０の吸着コア部５１と熱源２０との間を第１熱媒体が循環する。したがって、吸着コア部５１には、熱源２０において温度の上昇した高温の第１熱媒体が流れる。吸着コア部５１を第１熱媒体が流れる際、第１熱媒体と吸着剤５４との間で熱交換が行われることにより、吸着剤５４が加熱される。これにより、吸着剤５４から被吸着媒体が脱離する。
【００３４】
また、四方弁７１〜７４が図１に示される接続状態であるとき、第１吸着器５０の蒸発／凝縮コア部５２と第２放熱部４２との間を第２熱媒体が循環する。したがって、蒸発／凝縮コア部５２には、第２放熱部４２において空気と熱交換を行うことにより冷却された第２熱媒体が流れる。蒸発／凝縮コア部５２を第２熱媒体が流れる際、吸着剤５４から脱離した被吸着媒体の熱を第２熱媒体が吸収することにより、蒸発／凝縮コア部５２の表面に被吸着媒体が凝縮される。蒸発／凝縮コア部５２の表面に凝縮された被吸着媒体は、担持部材５５に担持される。このように、蒸発／凝縮コア部５２は、吸着剤５４からの被冷却媒体の脱離を促進させる部分として機能する。
【００３５】
一方、四方弁７１〜７４が図１に示される接続状態であるとき、第２吸着器６０の蒸発／凝縮コア部６２と冷熱発生器３０との間を第２熱媒体が循環する。蒸発／凝縮コア部６２を第２熱媒体が流れる際、担持部材６５に担持された被吸着媒体と第２熱媒体との間で熱交換が行われることにより、担持部材６５に担持された被吸着媒体が蒸発する。この際に発生する蒸発潜熱により第２熱媒体が冷却される。この冷却された第２熱媒体が冷熱発生器３０を流れることにより、冷熱発生器３０から冷熱が発生する。担持部材６５から蒸発した被吸着媒体は、吸着コア部６１の吸着剤６４により吸着される。
【００３６】
また、四方弁７１〜７４が図１に示される接続状態であるとき、第２吸着器６０の吸着コア部６１と第１放熱部４１との間を第１熱媒体が循環する。したがって、吸着コア部６１には、第１放熱部４１において空気と熱交換を行うことにより冷却された第１熱媒体が流れる。吸着コア部６１を第１熱媒体が流れる際、吸着剤６４の熱を第１熱媒体が吸収することにより、吸着剤６４が冷却される。これにより、吸着剤６４による被吸着媒体の吸着性が高められる。
【００３７】
このように、四方弁７１〜７４が図１に示される接続状態であるとき、第１吸着器５０では、第１熱媒体との熱交換により吸着剤５４から被吸着媒体が脱離するとともに、脱離した被吸着媒体が凝縮する。また、第２吸着器６０では、担持部材６５から被吸着媒体が蒸発するとともに、蒸発した被吸着媒体が吸着剤６４により吸着される。
【００３８】
冷凍機１０は、四方弁７１〜７４の接続状態を図１に示される状態で所定時間だけ維持した後、四方弁７１〜７４の接続状態を図２に示される状態に切り替える。これにより、第１吸着器５０の蒸発／凝縮コア部５２と冷熱発生器３０との間を第２熱媒体が循環する。蒸発／凝縮コア部５２を第２熱媒体が流れる際、担持部材５５に担持された被吸着媒体と第２熱媒体との間で熱交換が行われることにより、担持部材５５に担持された被吸着媒体が蒸発する。この際に発生する蒸発潜熱により第２熱媒体が冷却される。この冷却された第２熱媒体が冷熱発生器３０を流れることにより、冷熱発生器３０から冷熱が発生する。担持部材５５から蒸発した被吸着媒体は、吸着コア部５１の吸着剤５４により吸着される。
【００３９】
また、四方弁７１〜７４が図２に示される接続状態であるとき、第１吸着器５０の吸着コア部５１と第１放熱部４１との間を第１熱媒体が循環する。したがって、吸着コア部５１には、第１放熱部４１において空気と熱交換を行うことにより冷却された第１熱媒体が流れる。吸着コア部５１を第１熱媒体が流れる際、吸着剤５４の熱を第１熱媒体が吸収することにより、吸着剤５４が冷却される。これにより、吸着剤５４による被吸着媒体の吸着性が高められる。
【００４０】
一方、四方弁７１〜７４が図２に示される接続状態であるとき、第２吸着器６０の吸着コア部６１と熱源２０との間を第１熱媒体が循環する。したがって、吸着コア部６１には、熱源２０において温度の上昇した高温の第１熱媒体が流れる。吸着コア部６１を第１熱媒体が流れる際、第１熱媒体の熱が吸着剤６４に伝達されることにより、吸着剤６４が加熱される。これにより、吸着剤６４から被吸着媒体が脱離する。
【００４１】
また、四方弁７１〜７４が図２に示される接続状態であるとき、第２吸着器６０の蒸発／凝縮コア部６２と第２放熱部４２との間を第２熱媒体が循環する。したがって、蒸発／凝縮コア部６２には、第２放熱部４２において空気と熱交換を行うことにより冷却された第２熱媒体が流れる。蒸発／凝縮コア部６２を第２熱媒体が流れる際、吸着剤６４から脱離した被吸着媒体の熱を第２熱媒体が吸収することにより、蒸発／凝縮コア部６２の表面に被吸着媒体が凝縮される。蒸発／凝縮コア部６２の表面に凝縮された被吸着媒体は、担持部材６５に担持される。このように、蒸発／凝縮コア部６２は、吸着剤６４からの被冷却媒体の脱離を促進させる部分として機能する。
【００４２】
このように、四方弁７１〜７４が図２に示される接続状態であるとき、第２吸着器６０では、第１熱媒体との熱交換により吸着剤６４から被吸着媒体が脱離するとともに、脱離した被吸着媒体が凝縮する。また、第１吸着器５０では、担持部材５５から被吸着媒体が蒸発するとともに、蒸発した被吸着媒体が吸着剤５４により吸着される。
【００４３】
冷凍機１０は、四方弁７１〜７４の接続状態を図２に示される状態で所定時間だけ維持した後、四方弁７１〜７４の接続状態を図１に示される状態に切り替える。以降、冷凍機１０は、四方弁７１〜７４の接続状態を所定の周期で図１に示される状態と図２に示される状態とに切り替えることにより、冷熱発生器３０から継続的に冷熱を発生させる。
【００４４】
ところで、図２に示されるように、第１吸着器５０において被吸着媒体が蒸発する際、第１吸着器５０では、吸着コア部５１を流れる第１熱媒体と、蒸発／凝縮コア部５２を流れる第２熱媒体とが対向して流れる。これにより、蒸発／凝縮コア部５２では、第２熱媒体の流れ方向の上流側に配置される管状部材５２３ａよりも、第２熱媒体の流れ方向の下流側に配置される管状部材５２３ｂの方が温度が低下する。そのため、管状部材５２３ａの担持部材５５よりも管状部材５２３ｂの担持部材５５の方が、被吸着媒体が蒸発し難くなる。また、吸着コア部５１では、第１熱媒体の流れ方向の上流側に配置される管状部材５１３ｂよりも、第１熱媒体の流れ方向の下流側に配置される管状部材５２３ａの方が温度が上昇する。そのため、管状部材５１３ａの吸着剤５４よりも、管状部材５１３ｂの吸着剤５４の方が被吸着媒体を吸着し易くなる。
【００４５】
すなわち、第１吸着器５０では、蒸発／凝縮コア部５２において蒸発し難い下流側の部分と、吸着コア部５１において吸着し易い上流側の部分とが対向している。また、蒸発／凝縮コア部５２において蒸発し易い上流側の部分と、吸着コア部５１において吸着し難い下流側の部分とが対向している。これにより、第１吸着器５０における被吸着媒体の吸着及び蒸発のバランスを取ることができるため、被吸着媒体の吸着性を向上させることができる。
【００４６】
また、図３に示されるように、第１吸着器５０では、仕切板５６により、密閉容器５３の内部領域が第１内部領域Ａ１１と第２内部領域Ａ１２とに区画されている。これにより、第１内部領域Ａ１１と第２内部領域Ａ１２との間における被吸着媒体の流出入を抑制することができるため、被吸着媒体の吸着性を更に向上させることができる。
【００４７】
同様に、図１に示されるように、第２吸着器６０において被吸着媒体が蒸発する際、第２吸着器６０では、吸着コア部５１を流れる第１熱媒体と、蒸発／凝縮コア部５２を流れる第２熱媒体とが対向して流れる。そのため、第２吸着器６０でも、第１吸着器５０と同様の作用及び効果を得ることができる。
【００４８】
以上説明した本実施形態の第１吸着器５０及び第２吸着器６０によれば、以下の（１）〜（４）に示される作用及び効果を得ることができる。
（１）第１吸着器５０では、密閉容器５３において、吸着コア部５１を流れる第１熱媒体と、蒸発／凝縮コア部５２を流れる第２熱媒体とが対向するように流れている。また、第２吸着器６０でも、密閉容器６３において、吸着コア部６１を流れる第１熱媒体と、蒸発／凝縮コア部６２を流れる第２熱媒体とが対向するように流れている。これにより、第１吸着器５０及び第２吸着器６０における被吸着媒体の吸着及び蒸発のバランスを取ることができるため、被吸着媒体の吸着性を向上させることができる。
【００４９】
（２）第１吸着器５０は、密閉容器５３の内部を第１内部領域Ａ１１と第２内部領域Ａ１２とに仕切る仕切板５６を備えている。これにより、第１内部領域Ａ１１と第２内部領域Ａ１２との間における被吸着媒体の流出入を抑制することができるため、被吸着媒体の吸着性を更に向上させることができる。また、第２吸着器６０も、同様の機能を有する仕切板６６を備えているため、同様の作用及び効果を得ることができる。
【００５０】
（３）第１吸着器５０の仕切板５６及び第２吸着器６０の仕切板６６は断熱材料により構成されている。これにより、第１内部領域Ａ１１と第２内部領域Ａ１２との間における熱伝達を抑制することができるため、被吸着媒体の吸着性を更に向上させることができる。
（４）第１吸着器５０の吸着コア部５１の管状部材５１３ａ，５１３ｂは、タンク部５１０，５１１，５２０，５２１に対して直交している。また、第２吸着器６０の吸着コア部６１の管状部材６１３ａ，６１３ｂは、タンク部６１０，６１１，６２０，６２１に対して直交している。これにより、第１吸着器５０及び第２吸着器６０のそれぞれの伝熱面積を広げることができるため、第１吸着器５０及び第２吸着器６０の吸着性能を向上させることができる。
【００５１】
なお、上記実施形態は、以下の形態にて実施することもできる。
・図４に示されるように、第１吸着器５０の仕切板５６には、上下方向及び左右方向の両方に直交する方向に延びるスリット５６０が形成されていてもよい。スリット５６０は、図３における吸着コア部５１と蒸発／凝縮コア部５２との間に配置されている。このような構成によれば、仕切板５６を介した吸着コア部５１と蒸発／凝縮コア部５２との間における熱リークが抑制されるため、第１吸着器５０の吸着性能を更に向上させることができる。また、第２吸着器６０の仕切板６６にも同様のスリットを形成すれば、同様の作用及び効果を得ることができる。
【００５２】
・図５に示されるように、第１吸着器５０は、担持部材５５を有していない構造であってもよい。この場合、蒸発／凝縮コア部５２との熱交換により被吸着媒体が凝縮した場合、凝縮した被吸着媒体が密閉容器５３の底壁部５３３に貯留すると、蒸発／凝縮コア部５２が被吸着媒体に浸ることになる。同様の構成は、第２吸着器６０にも適用することができる。
【００５３】
・図６に示されるように、第１吸着器５０の密閉容器５３は、複数の仕切板５６により複数の内部領域に仕切られていてもよい。同様の構成は、第２吸着器６０にも適用することができる。
・図７に示されるように、第１吸着器５０は、複数の吸着部５０ａ，５０ｂにより構成されていてもよい。各吸着部５０ａ，５０ｂは、図３に示される第１吸着器５０の構成から仕切板５６を除いた構成を有している。吸着部５０ａ，５０ｂのそれぞれの吸着コア部５１は流路７５ａを介して互いに接続されている。また、吸着部５０ａ，５０ｂのそれぞれの蒸発／凝縮コア部５２は流路７５ｂを介して互いに接続されている。このような構成であっても、吸着部５０ａの密閉容器５３の内部領域と、吸着部５０ｂの密閉容器５３の内部領域とが実質的に分離されているため、仕切板５６を有する第１吸着器５０と類似の作用及び効果を得ることができる。同様に、第２吸着器６０も、複数の吸着部６０ａ，６０ｂにより構成されていてもよい。
【００５４】
・第１吸着器５０の吸着コア部５１及び蒸発／凝縮コア部５２は、ドロンカップ型の熱交換部からなるものであってもよい。例えば、吸着コア部５１は、図８に示されるような構造を有していてもよい。図８に示されるように、吸着コア部５１は、複数のドロンカッププレート５７を積層することで構成されている。この場合、隣り合うドロンカッププレート５７，５７の間に仕切板５６を挟み込むだけで、吸着コア部５１に仕切板５６を容易に設けることができる。なお、管状部材５１３ａ，５１３ｂの内部に設けられている波形状の部材はインナーフィンである。また、蒸発／凝縮コア部５２がドロンカップ型の熱交換部からなる場合でも、蒸発／凝縮コア部５２に仕切板５６を容易に設けることができる。よって、上記実施形態の第１吸着器５０を容易に製造することができる。同様に、第２吸着器６０の吸着コア部６１及び蒸発／凝縮コア部６２をドロンカップ型の熱交換部により構成すれば、上記実施形態の第２吸着器６０を容易に製造することができる。
【００５５】
・本開示は上記の具体例に限定されるものではない。上記の具体例に、当業者が適宜設計変更を加えたものも、本開示の特徴を備えている限り、本開示の範囲に包含される。前述した各具体例が備える各要素、及びその配置、条件、形状等は、例示したものに限定されるわけではなく適宜変更することができる。前述した各具体例が備える各要素は、技術的な矛盾が生じない限り、適宜組み合わせを変えることができる。
【符号の説明】
【００５６】
５０，６０：吸着器
５１，６１：吸着コア部
５２，６２：蒸発／凝縮コア部
５３，６３：密閉容器
５４，６４：吸着剤
５１０〜５１２，６１０〜６１２，５２０〜５２２，６２０〜６２２：タンク部
５１３ａ，５１３ｂ，５２３ａ，５２３ｂ，６１３ａ，６１３ｂ，６２３ａ，６２３ｂ：管状部材
５６０：スリット
【図１】
2018080851.tif 000003
【図２】
2018080851.tif 000004
【図３】
2018080851.tif 000005
【図４】
2018080851.tif 000006
【図５】
2018080851.tif 000007
【図６】
2018080851.tif 000008
【図７】
2018080851.tif 000009
【図８】
2018080851.tif 000010